(57)【要約】  【課題】効率良く除霜が行え、また、炭化水素系冷媒の使用が可能な除霜装置を備えた蒸発器及びこの蒸発器を備えた冷蔵庫を提供する。  【解決手段】冷媒管３と上下方向に直交する冷却フィン１７とを備え、最下部の冷媒管３より下方の冷却フィン１７の領域内で冷却フィン１７とガラス管被覆ヒーター６を熱伝導的に接触させることにより、ガラス管被覆ヒーター６の放射熱の上昇熱流効果を生かしながら蒸発器１６全体に熱を伝えることができ、効率良く除霜が行える効果が得られる。【選択図】図７
2005214625.tif 000002
【特許請求の範囲】
【請求項１】
冷媒管と前記冷媒管と上下方向に直交する冷却フィンとを備え、最下部の前記冷媒管より下方の前記冷却フィンの領域内において、前記冷却フィンとガラス管被覆ヒーターよりなる除霜装置を熱伝導的に接触させたことを特徴とする除霜装置を備えた蒸発器。
【請求項２】
冷却フィンのガラス管被覆ヒーターとの接触部は下端部より切り欠かれていることを特徴とする請求項１に記載の除霜装置を備えた蒸発器。
【請求項３】
ガラス管被覆ヒーターの上部に除霜ヒーター用保護カバーを配置したことを特徴とする請求項１または請求項２に記載の除霜装置を備えた蒸発器。
【請求項４】
ガラス管被覆ヒーターの接触部よりも上部に切り欠きを設け、前記切り欠きに除霜ヒーター用保護カバーが設けられていることを特徴とする請求項３に記載の除霜装置を備えた蒸発器。
【請求項５】
冷媒管内を流れる冷媒を炭化水素系冷媒としたことを特徴とする請求項１から請求項４のいずれか一項に記載の除霜装置を備えた蒸発器。
【請求項６】
請求項１から請求項５のいずれか一項に記載の蒸発器を備えた冷蔵庫。
【発明の詳細な説明】
【技術分野】
【０００１】
本発明は、着霜を除霜するようにした蒸発器の除霜装置及び蒸発器の除霜装置を備えた冷蔵庫に関するものである。
【背景技術】
【０００２】
従来の冷蔵庫として特許文献１に示されている冷蔵庫について図面を参照して説明する。図５０は従来の冷蔵庫の蒸発器部分の断面斜視図である。図５１は従来の冷蔵庫の除霜ヒーターの要部断面図である。図５２は従来の冷蔵庫の蒸発器周辺の要部正面図である。図５３は従来の冷蔵庫の蒸発器周辺の要部側面図である。
【０００３】
図２８において、１０１は冷蔵庫本体、１０２は冷凍室、１０３は冷蔵室である。１０４、１０５は冷凍室１０２、冷蔵室１０３からの吸込口で、ここから冷凍室１０２、冷蔵室１０３の空気が吸い込まれ、通路１０４’、１０５’を経て、冷凍室背面に設置された蒸発器１０６へ送られる。１０７は蒸発器１０６の下部に設置された除霜ヒーターで、除霜ヒーター１０７の両端はキャップ１０８を備えている。１１０は除霜ヒーター１０７の上方を覆うように取り付けられた上面カバーであり、この上面カバー１１０は、除霜時に蒸発器１０６から滴下する除霜水が、高温になった除霜ヒーター１０７に接触して蒸発音を発生するのを防止するものである。１１２は蒸発器１０６で冷した空気を冷凍室１０２へ送るファンで、１１３は除霜時に蒸発器１０６から滴下する除霜水を冷蔵庫外へ排出するドレンである。除霜ヒーター１０７は図２９に示すガラス管ヒーターが用いられており、ガラス管１１４内にヒーター線１１５が収められ、絶縁されたコード線１１６を介して通電され発熱する。ヒーター線１１５は、キャップ１０８、コード線１１６により両端部で絶縁及び防水がなされている。蒸発器１０６は図３１に示すように、出入口１１７、アキュムレータ１１８の出入口１１９でろう付け接続されている。
【０００４】
また、冷蔵庫の冷媒はＨＦＣ１３４ａ（１、２、２、２−テトラフルオロエタン）を用いている。
【０００５】
一方、地球を取り巻くオゾン層の破壊防止という地球環境保護の観点から、従来冷媒として使用されていた不燃性冷媒のフロンガスが使用禁止の方向にあり、フロンガスの代替品として、プロパン、イソブタン等の可燃性がある炭化水素系冷媒が検討されている。
【特許文献１】特開平８−１０５６８０号公報
【発明の開示】
【発明が解決しようとする課題】
【０００６】
しかしながら、上記従来の構成は、輻射手段を用いた除霜であり除霜効率が有効とはいえず、冷蔵庫本体の消費電力を低減するには限界があった。
【０００７】
また、炭化水素系冷媒を使用する場合、炭化水素系冷媒は可燃性を有するため、冷凍サイクルからの冷媒漏れ防止とともに、万一冷媒漏れ時には電装品から着火することを防止することが重要な課題となっている。現状のガラス管ヒーターの表面温度は、炭化水素系冷媒の空気中での発火温度を超える場合があるため、安全面からヒーター表面温度を低下させねばならないという課題があった。
【０００８】
本発明は従来の課題を解決するものであり、効率良く除霜が行え、また、炭化水素系冷媒の使用が可能な蒸発器の除霜装置及び蒸発器の除霜装置を備えた冷蔵庫を提供することを目的とする。
【課題を解決するための手段】
【０００９】
本発明の請求項１に記載の発明は、冷媒管と前記冷媒管と上下方向に直交する冷却フィンとを備え、最下部の前記冷媒管より下方の前記冷却フィンの領域内において、前記冷却フィンとガラス管被覆ヒーターよりなる除霜装置を熱伝導的に接触させたものであり、除霜ヒーターの放射熱の上昇熱流効果を生かしながら蒸発器全体に熱を伝えることができ、効率良く除霜が行える効果が得られる。
【００１０】
また、本発明の請求項２記載の発明は、請求項１に記載の発明において、冷却フィンのガラス管被覆ヒーターとの接触部は下端部より切り欠かれているものであり、冷却フィンに設けられた取り付け穴を１つ１つ通すことなく、蒸発器下端より冷却フィンに簡単に設置できる効果が得られる。
【００１１】
更に下部にある排水部の温度上昇が容易になる効果が得られる。
【００１２】
また、本発明の請求項３記載の発明は、請求項１または請求項２に記載の発明において、ガラス管被覆ヒーターの上部に除霜ヒーター用保護カバーを配置したものであり、この除霜ヒーター用保護カバーにより、除霜により発生した水が除霜ヒーターにかかるのを防止でき除霜ヒーターを保護すると共に除霜水の蒸発音の発生を防止する。
【００１３】
また、本発明の請求項４に記載の発明は、請求項３に記載の発明において、ガラス管被覆ヒーターの接触部よりも上部に切り欠きを設け、前記切り欠きに除霜ヒーター用保護カバーが設けられているものであり、除霜ヒーター用保護カバーを蒸発器側面より冷却フィンに簡単に設置することができ、この除霜ヒーター用保護カバーにより、除霜により発生した水が除霜ヒーターにかかるのを防止でき除霜ヒーターを保護すると共に除霜水の蒸発音の発生を防止する。
【００１４】
また、本発明の請求項５に記載の発明は、請求項１から請求項４のいずれか一項に記載の発明において、冷媒管内を流れる冷媒を炭化水素系冷媒としたものであり、除霜ヒーターの温度を低くできるため、除霜ヒーターの温度は炭化水素系冷媒の発火温度以上に上昇することはなく、万一炭化水素系冷媒が洩れた場合でも除霜ヒーターによる発火を防止できる効果が得られる。
【００１５】
また、本発明の請求項６に記載の発明は、請求項１から請求項５のいずれか一項に記載の蒸発器を備えた冷蔵庫であり、除霜効率を上げることができ、冷蔵庫本体の消費電力を低減できるともに、除霜ヒーターの温度を低くできるため、除霜ヒーターの温度は炭化水素系冷媒の発火温度以上に上昇することはなく、万一炭化水素系冷媒が洩れた場合でも除霜ヒーターによる発火を防止できる効果が得られる。
【００１６】
更に、除霜ヒーターを蒸発器の冷却フィンの下部領域内に挿通したことで、除霜ヒーターと蒸発器を一体化することにより、作業工数を低減できる効果が得られる。
【発明の効果】
【００１７】
請求項１に記載の発明は、冷媒管と前記冷媒管と上下方向に直交する冷却フィンとを備え、最下部の前記冷媒管より下方の前記冷却フィンの領域内において、前記冷却フィンとガラス管被覆ヒーターよりなる除霜装置を熱伝導的に接触させた蒸発器であり、除霜ヒーターの放射熱の上昇熱流効果を生かしながら蒸発器全体に熱を伝えることができ、効率良く除霜が行える。
【００１８】
また、請求項２記載の発明は、請求項１に記載の発明において、冷却フィンのガラス管被覆ヒーターとの接触部は下端部より切り欠かれているものであり、冷却フィンには除霜ヒーター取り付け用の切り欠きが設けられているため、冷却フィンに設けられた取り付け穴を１つ１つ通すことなく、蒸発器下端より冷却フィンに簡単に設置できる。
【００１９】
更に下方にある排水部の温度上昇が容易になる。
【００２０】
また、請求項３記載の発明は、請求項１または請求項２に記載の発明において、ガラス管被覆ヒーターの上部に除霜ヒーター用保護カバーを配置したものであり、この除霜ヒーター用保護カバーにより、除霜により発生した水が除霜ヒーターにかかるのを防止でき除霜ヒーターを保護すると共に除霜水の蒸発音の発生を防止する。
【００２１】
また、請求項４に記載の発明は、請求項３に記載の発明において、ガラス管被覆ヒーターの接触部よりも上部に切り欠きを設け、前記切り欠きに除霜ヒーター用保護カバーが設けられているものであり、除霜ヒーター用保護カバーを蒸発器側面より冷却フィンに簡単に設置することができ、この除霜ヒーター用保護カバーにより、除霜により発生した水が除霜ヒーターにかかるのを防止でき除霜ヒーターを保護すると共に除霜水の蒸発音の発生を防止する。
【００２２】
また、請求項５に記載の発明は、請求項１から請求項４のいずれか一項に記載の発明において、冷媒管内を流れる冷媒を炭化水素系冷媒としたものであり、除霜ヒーターの温度を低くできるため、除霜ヒーターの温度は炭化水素系冷媒の発火温度以上に上昇することはなく、万一炭化水素系冷媒が洩れた場合でも除霜ヒーターによる発火を防止できる。
【００２３】
また、請求項６に記載の発明は、請求項１から請求項５のいずれか一項に記載の蒸発器を備えた冷蔵庫であり、除霜効率を上げることができ、冷蔵庫本体の消費電力を低減できるともに、除霜ヒーターの温度を低くできるため、除霜ヒーターの温度は炭化水素系冷媒の発火温度以上に上昇することはなく、万一炭化水素系冷媒が洩れた場合でも除霜ヒーターによる発火を防止できる。
【００２４】
更に、除霜ヒーターを蒸発器の冷却フィンの下部領域内に挿通したこで、除霜ヒーターと蒸発器を一体化することにより、作業工数を低減できる。
【発明を実施するための最良の形態】
【００２５】
以下、本発明の蒸発器の除霜装置及び蒸発器の除霜装置を備えた冷蔵庫の実施の形態について、図面を参照しながら説明する。
【００２６】
（実施の形態１）
図１は本発明の実施の形態１による冷蔵庫の蒸発器周辺の要部正面図である。図２は同実施の形態の冷蔵庫の要部側面図である。図３は同実施の形態の冷蔵庫の除霜ヒーターの断面図である。図１から図３において、１は冷蔵庫、２は冷蔵庫１に設けられた蒸発器、３は冷媒管、４は冷却フィン、５はアキュムレータである。圧縮機で圧縮された炭化水素系冷媒は凝縮器にて放熱した後、ドライヤにて冷媒等に含まれる水分が除去され、キャピラリチューブにて減圧され蒸発器２に導入される。この時、冷媒はこの蒸発器２で蒸発することにより冷蔵庫１内の熱を奪う。６は除霜ヒーターであり、７はシース管またはガラス管、９はヒーターである。シース管またはガラス管７中にヒータ−線９が収められ、両端部をキャップ１０により絶縁密封し、外部からコード線１１を介して通電され、加熱が行われる。この除霜ヒーター６は蒸発器２の冷却フィン４の下部領域内に挿通支持されている。
【００２７】
除霜ヒータ−６に通電が行われると、シース管またはガラス管７及び冷却フィン４の温度が上昇し、伝導，輻射及び自然対流により、着霜した蒸発器２が加熱され、蒸発器２に付着した霜が溶かされる。特に除霜ヒーター６は冷却フィン４の下部領域内に挿通支持されているため、除霜ヒーター６の放熱面積が拡大し、更に冷却フィン４に除霜ヒーター６の熱が伝導により直接伝わることにより、従来に比べ除霜ヒーター６の表面温度を下げることができ、冷蔵庫本体の消費電力を低減することができる。
【００２８】
また、除霜ヒーター６をガラス管被膜ヒーターにすることで、透過率が高いことから、更に除霜効率がアップする。
【００２９】
また、冷却フィン４に除霜ヒーター６の熱が伝導により直接伝わることにより、従来に比べ除霜ヒーター６の表面温度を下げることができので、万一配管が破損するなどして可燃性の炭化水素系冷媒が漏れていたとしても、除霜ヒーター６の表面で発火温度に達しないため、発火する危険がない。除霜ヒーター６の温度は例えば炭化水素系冷媒にイソブタンを用いた場合、イソブタンの最低発火温度約４００℃より１００℃下げた３００℃程度に設定することで安全性を高めた蒸発器の除霜装置及び蒸発器の除霜装置を備えた冷蔵庫を提供できる。
【００３０】
（実施の形態２）
図４は本発明の実施の形態２による冷蔵庫の蒸発器周辺の要部正面図である。図５は同実施の形態の冷蔵庫の要部側面図である。図４，図５において、１２は冷蔵庫１に設けられた蒸発器であり、その冷却フィン１３の長さはすべて同じではなく、長い冷却フィン１４と短い冷却フィン１５がある。圧縮機で圧縮された炭化水素系冷媒は凝縮器にて放熱した後、ドライヤにて冷媒等に含まれる水分が除去され、キャピラリチューブにて減圧され蒸発器１２に導入される。この時、冷媒はこの蒸発器１２で蒸発することにより冷蔵庫１内の熱を奪う。除霜ヒーター６は、冷却フィン１３のフィンピッチが最も粗い領域、すなわち、長い冷却フィン１４に挿通されている。
【００３１】
除霜ヒーター６に通電が行われると、シース管またはガラス管７及び冷却フィン１３の温度が上昇し、伝導，輻射及び自然対流により、着霜した蒸発器１２が加熱され、蒸発器１２に付着した霜が溶かされる。特に除霜ヒーター６は冷却フィン１３の長い冷却フィン１４に挿通されているため、除霜ヒーター６の放熱面積が拡大し、更に冷却フィン１３に除霜ヒーター６の熱が伝導より直接伝わることにより、従来に比べ除霜ヒーター６の表面温度を下げることができ、冷蔵庫本体の消費電力を低減することができる。
【００３２】
更に、除霜ヒーター６は冷却フィン１３のフィンピッチが最も粗い領域、すなわち、長い冷却フィン１４に挿通されているため、冷却フィン１３の下端における霜の成長を阻害することによる風量の低下を防止することができる効果が得られる。
【００３３】
（実施の形態３）
図６は本発明の実施の形態３による冷蔵庫の蒸発器周辺の要部正面図である。図７は同実施の形態の冷蔵庫の要部側面図である。図６，図７において、１６は冷蔵庫１に設けられた蒸発器であり、その冷却フィン１７は下端に切り欠き１８が設けられており、冷却フィン１７の切り欠き１８に除霜ヒーター６が挿通されている。圧縮機で圧縮された炭化水素系冷媒は凝縮器にて放熱した後、ドライヤにて冷媒等に含まれる水分が除去され、キャピラリチューブにて減圧され蒸発器１６に導入される。この時、冷媒はこの蒸発器１６で蒸発することにより冷蔵庫１内の熱を奪う。除霜ヒーター６は、前記したように蒸発器１６の冷却フィン１７の下部に設けられた切り欠き１８に挿通されている。
【００３４】
除霜ヒーター６に通電が行われると、シース管またはガラス管７及び冷却フィン１７の温度が上昇し、伝導、輻射及び自然対流により、着霜した蒸発器１６が加熱され、蒸発器１６に付着した霜が溶かされる。特に除霜ヒーター６は冷却フィン１７の下部に挿通されているため、除霜ヒーター６の放熱面積が拡大し、更に冷却フィン１７に除霜ヒーター６の熱が伝導により直接伝わることにより、従来に比べ除霜ヒーター６の表面温度を下げることができ、冷蔵庫本体の消費電力を低減することができる。
【００３５】
更に、冷却フィン１７には除霜ヒーター６取り付け用の切り欠き１８が設けられているため、除霜ヒーター６は冷却フィン１７に設けられた取り付け穴を１つ１つ通すことなく蒸発器１６の下端より冷却フィンに１７に簡単に設置することができる効果が得られる。
【００３６】
更に、冷却フィン１７の下部に除霜ヒーター６取り付け用の切り欠き１８が設けられて、この切り欠き１８に除霜ヒーター６を挿通しているため、ドレンパン（図示せず）など下方にある排水部の温度上昇が容易になり、除霜、融解による信頼性が確保できる効果が得られる。
【００３７】
（実施の形態４）
図８は本発明の実施の形態４による冷蔵庫の蒸発器周辺の要部正面図である。図９は同実施の形態の冷蔵庫の要部側面図である。図８，図９において、１９は冷蔵庫１に設けられた蒸発器であり、その冷却フィン２０は下端から側端にかけて一部が切除されており、この冷却フィン２０の下部領域内に除霜ヒーターが設置されている。圧縮機で圧縮された炭化水素系冷媒は凝縮器にて放熱した後、ドライヤにて冷媒等に含まれる水分が除去され、キャピラリチューブにて減圧され蒸発器１９に導入される。この時、冷媒はこの蒸発器１９で蒸発することにより冷蔵庫１内の熱を奪う。除霜ヒーター６は、前記したように蒸発器１９の冷却フィン２０の下部領域内に設けられている。
【００３８】
除霜ヒーター６に通電が行われると、シース管またはガラス管７及び冷却フィン２０の温度が上昇し、伝導、輻射及び自然対流により、着霜した蒸発器１９が加熱され、蒸発器１９に付着した霜が溶かされる。特に除霜ヒーター６は冷却フィン２０の下部領域内に接触して設けられているため、除霜ヒーター６の放熱面積が拡大し、更に冷却フィン２０に除霜ヒーター６の熱が伝導により直接伝わることにより、従来に比べ除霜ヒーター６の表面温度を下げることができ、冷蔵庫本体の消費電力を低減することができる。
【００３９】
更に、冷却フィン２０はその冷却フィン２０は下端から側端にかけて一部が切除されているため、蒸発器用冷却フィン１６の下端における霜の成長を阻害することによる風量の低下を防止することができる効果が得られる。
【００４０】
（実施の形態５）
図１０は本発明の実施の形態５による冷蔵庫の蒸発器周辺の要部正面図である。図１１は同実施の形態の冷蔵庫の要部側面図である。図１２は同実施の形態の冷蔵庫の冷却フィンへの除霜ヒーター取り付け部の要部拡大断面図である。図１０から図１２において、２１は冷蔵庫１に設けられた蒸発器であり、冷却フィン２２の下部には除霜ヒーター６の挿通孔２３が設けられており、この挿通孔２３は隣接する冷却フィン間で所定の長さずれている。この挿通孔２３に除霜ヒーター６を入れることにより、この冷却フィン２２の下部領域内に除霜ヒーター６が設置されることになる。
【００４１】
圧縮機で圧縮された炭化水素系冷媒は凝縮器にて放熱した後、ドライヤにて冷媒等に含まれる水分が除去され、キャピラリチューブにて減圧され蒸発器２１に導入される。この時、冷媒はこの蒸発器２１で蒸発することにより冷蔵庫１内の熱を奪う。除霜ヒーター６は、蒸発器２１の冷却フィン２２の下部領域内に前記下方法により設けられている。
【００４２】
除霜ヒーター６に通電が行われると、シース管またはガラス管７及び冷却フィン２２の温度が上昇し、伝導、輻射及び自然対流により、着霜した蒸発器２１が加熱され、蒸発器２１に付着した霜が溶かされる。特に除霜ヒーター６は冷却フィン２２の下部領域内に接触して設けられているため、除霜ヒーター６の放熱面積が拡大し、更に冷却フィン２２に除霜ヒーター６の熱が伝導により直接伝わることにより、従来に比べ除霜ヒーター６の表面温度を下げることができ、冷蔵庫本体の消費電力を低減することができる。
【００４３】
更に、冷却フィン２２に設けられた除霜ヒーター６の挿通孔２３隣接する冷却フィン間で所定の長さずれているため、除霜ヒーター６の設置時に除霜ヒーター６の固定が安定するため、挿通孔２３より除霜ヒーター６が外れることがない効果が得られる。
【００４４】
また、本実施の形態では、冷却フィン２２に設けられた除霜ヒーター６の挿通孔２３が隣接する冷却フィン間で所定の長さずれることによる固定の安定化について説明したが、更に固定を強化する方法として、耐熱性がある接着剤を用いて除霜ヒーター６と冷却フィン２２を固定しても良い。
【００４５】
（実施の形態６）
図１３は本発明の実施の形態６による冷蔵庫の蒸発器周辺の要部正面図である。図１４は同実施の形態の冷蔵庫の要部側面図である。図１３，図１４において、２４は冷蔵庫１に設けられた蒸発器であり、冷却フィン２５には側端から切り欠き２６を有している。この切り欠き２６に除霜ヒーター６を挿入することにより、冷却フィン２５に除霜ヒーター６が設置されることになる。
【００４６】
圧縮機で圧縮された炭化水素系冷媒は凝縮器にて放熱した後、ドライヤにて冷媒等に含まれる水分が除去され、キャピラリチューブにて減圧され蒸発器２４に導入される。この時、冷媒はこの蒸発器２４で蒸発することにより冷蔵庫１内の熱を奪う。除霜ヒーター６は、蒸発器２４の冷却フィン２５に前記した方法により設けられている。
【００４７】
除霜ヒーター６に通電が行われると、シース管またはガラス管７及び冷却フィン２５の温度が上昇し、伝導、輻射及び自然対流により、着霜した蒸発器２４が加熱され、蒸発器２４に付着した霜が溶かされる。特に除霜ヒーター６は冷却フィン２５のフィン下部に接触して設けられているため、除霜ヒーター６の放熱面積が拡大し、更に冷却フィン２５に除霜ヒーター６の熱が伝導により直接伝わることにより、従来に比べ除霜ヒーター６の表面温度を下げることができ、冷蔵庫本体の消費電力を低減することができる。
【００４８】
更に、冷却フィン２５には除霜ヒーター６取り付け用の切り欠き２６が設けられているため、除霜ヒーター６は冷却フィン２２に設けられた取り付け孔を１つ１つ通すことなく蒸発器２４の側面より冷却フィン２５に簡単に設置することができる効果が得られる。
【００４９】
また、冷却フィン２５と除霜ヒーター６の固定を強化する方法として、耐熱性がある接着剤を用いて除霜ヒーター６と冷却フィン２５を固定しても良い。また、すべての切り欠き２６は同じ形状である必要はなく、除霜ヒーター６が固定できるなら例えば右端と左端のみで除霜ヒーター６を固定しても良い。
【００５０】
（実施の形態７）
図１５は本発明の実施の形態７による冷蔵庫の蒸発器周辺の要部正面図である。図１６は同実施の形態の冷蔵庫の要部側面図である。図１５，１６において、２７は冷蔵庫１に設けられた蒸発器であり、冷却フィン２８の下部には冷却フィン２８の側端から中央部に向けて下方に傾斜する切り欠き２９を有している。この切り欠き２９に除霜ヒーター６を挿入することにより、冷却フィン２８に除霜ヒーター６が設置されることになる。
【００５１】
圧縮機で圧縮された炭化水素系冷媒は凝縮器にて放熱した後、ドライヤにて冷媒等に含まれる水分が除去され、キャピラリチューブにて減圧され蒸発器２７に導入される。この時、冷媒はこの蒸発器２７で蒸発することにより冷蔵庫１内の熱を奪う。除霜ヒーター６は、蒸発器２７の冷却フィン２８に前記した方法により設けられている。
【００５２】
除霜ヒーター６に通電が行われると、シース管またはガラス管７及び冷却フィン２８の温度が上昇し、伝導、輻射及び自然対流により、着霜した蒸発器２７が加熱され、蒸発器２７に付着した霜が溶かされる。特に除霜ヒーター６は冷却フィン２８のフィン下部に接触して設けられているため、除霜ヒーター６の放熱面積が拡大し、更に冷却フィン２８に除霜ヒーター６の熱が伝導により直接伝わることにより、従来に比べ除霜ヒーター６の表面温度を下げることができ、冷蔵庫本体の消費電力を低減することができる。
【００５３】
更に、冷却フィン２８には除霜ヒーター６取り付け用の冷却フィン２８の側端からの切り欠きは中央部に向けて下方に傾斜しているため、除霜ヒーター６は冷却フィン２８に設けられた取り付け孔を１つ１つ通すことなく蒸発器２７の側面より切り欠き２８を用いて冷却フィン２８に簡単に設置することができる効果が得られる。その上に、切り欠き２９は冷却フィン２８の中央部に向けて下方に傾斜しているため、除霜ヒーター６を外すには除霜ヒーター６を重力に逆らい上方へ移動させる必要があるため蒸発器２７より外れにくくなる効果が得られる。
【００５４】
また、冷却フィン２８と除霜ヒーター６の固定を強化する方法として、耐熱性がある接着剤を用いて除霜ヒーター６と冷却フィン２８を固定しても良い。すべての切り欠き２９は同じ形状である必要はなく、除霜ヒーター６が固定できるなら例えば右端と左端のみで除霜ヒーター６を固定しても良い。
【００５５】
（実施の形態８）
図１７は本発明の実施の形態８による冷蔵庫の蒸発器周辺の要部正面図である。図１８は同実施の形態の冷蔵庫の要部側面図である。図１９は同実施の形態の冷蔵庫の冷却フィンへの除霜ヒーター取り付け部の要部拡大断面図である。図１７から図１９において、３０は冷蔵庫１に設けられた蒸発器であり、冷却フィン３１の下部には除霜ヒーター６の設置用の切り欠き３２が隣接する冷却フィン間で所定の長さずれている。この切り欠き３２に除霜ヒーター６を挿入することにより、この冷却フィン３１のフィン下部に除霜ヒーター６が設置されることになる。
【００５６】
圧縮機で圧縮された炭化水素系冷媒は凝縮器にて放熱した後、ドライヤにて冷媒等に含まれる水分が除去され、キャピラリチューブにて減圧され蒸発器３０に導入される。この時、冷媒はこの蒸発器３０で蒸発することにより冷蔵庫１内の熱を奪う。除霜ヒーター６は、蒸発器３０の冷却フィン３１のフィン下部に前記した方法により設けられている。
【００５７】
除霜ヒーター６に通電が行われると、シース管またはガラス管７及び冷却フィン３１の温度が上昇し、伝導、輻射及び自然対流により、着霜した蒸発器３０が加熱され、蒸発器３０に付着した霜が溶かされる。特に除霜ヒーター６は冷却フィン３１のフィン下部に接触して設けられているため、除霜ヒーター６の放熱面積が拡大し、更に冷却フィン３１に除霜ヒーター６の熱が伝熱により直接伝わることにより、従来に比べ除霜ヒーター６の表面温度を下げることができ、冷蔵庫本体の消費電力を低減することができる。
【００５８】
更に、冷却フィン３１に設けられた除霜ヒーター６取り付け用の切り欠き３２が隣接する冷却フィン間で所定の長さずれているため、除霜ヒーター６設置時において除霜ヒーター６の固定が安定し、切り欠き３２より除霜ヒーター６が外れるにくくなる効果が得られる。
【００５９】
また、冷却フィン３１と除霜ヒーター６の固定を強化する方法として、耐熱性がある接着剤を用いて除霜ヒーター６と冷却フィン３１を固定しても良い。すべての切り欠き３２は同じ形状である必要はなく、除霜ヒーター６が固定できるなら例えば右端３つの冷却フィン３１と左端３つの冷却フィン３１のみで除霜ヒーター６を固定しても良い。
【００６０】
（実施の形態９）
図２０は本発明の実施の形態９による冷蔵庫の蒸発器周辺の要部正面図である。図２１は同実施の形態の冷蔵庫の要部側面図である。図２２は同実施の形態の冷蔵庫の冷却フィンへの除霜ヒーター取り付け部の要部拡大側面図である。図２０から図２２において、３３は冷蔵庫１に設けられた蒸発器であり、冷却フィン３４の下部には冷却フィン３４に設けられた除霜ヒーター６の設置用の切り欠き３５を有しており、切り欠き３５の任意部分の幅が他より所定の長さＬよりもＬ’と短くなっているものである。この切り欠き３５に除霜ヒーター６を挿入することにより、この冷却フィン３４のフィン下部に除霜ヒーター６が設置されることになる。圧縮機で圧縮された炭化水素系冷媒は凝縮器にて放熱した後、ドライヤにて冷媒等に含まれる水分が除去され、キャピラリチューブにて減圧され蒸発器３３に導入される。この時、冷媒はこの蒸発器３３で蒸発することにより冷蔵庫１内の熱を奪う。除霜ヒーター６は、蒸発器３３の冷却フィン３４のフィン下部に前記した方法により設けられている。
【００６１】
除霜ヒーター６に通電が行われると、シース管またはガラス管７及び冷却フィン３４の温度が上昇し、伝導、輻射及び自然対流により、着霜した蒸発器３３が加熱され、蒸発器３３に付着した霜が溶かされる。特に除霜ヒーター６は冷却フィン３４のフィン下部に接触して設けられているため、除霜ヒーター６の放熱面積が拡大し、更に冷却フィン３４に除霜ヒーター６の熱が伝導により直接伝わることにより、従来に比べ除霜ヒーター６の表面温度を下げることができ、冷蔵庫本体の消費電力を低減することができる。
【００６２】
更に、冷却フィン３４に設けられた除霜ヒーター６取り付け用の切り欠き３５の任意部分の幅が他より所定の長さ短くＬ’となっているものであり除霜ヒーター６設置時の除霜ヒーター６の固定が安定し、前記切り欠き３２より除霜ヒーター６が外れることがない効果が得られる。
【００６３】
また、冷却フィン３４と除霜ヒーター６の固定を強化する方法として、耐熱性がある接着剤を用いて除霜ヒーター６と冷却フィン３４を固定しても良い。すべての切り欠き３５は同じ形状である必要はなく、除霜ヒーター６が固定できるなら例えば右端と左端のみで除霜ヒーター６を固定しても良い。
【００６４】
（実施の形態１０）
図２３は本発明の実施の形態１０による冷蔵庫の蒸発器周辺の要部正面図である。図２４は同実施の形態の冷蔵庫の要部側面図である。図２５は同実施の形態の冷蔵庫の冷却フィンへの除霜ヒーター取り付け部の要部拡大側面図である。図２３から図２５において、３６は冷蔵庫１に設けられた蒸発器であり、冷却フィン３７の下部には冷却フィン３７に設けられた除霜ヒーター６の設置用の切り欠き３８を有しており、切り欠き３８は任意部分の幅が２ケ所以上で他より所定の長さＭよりもＭ’，Ｍ’’と短くなっているものである。この切り欠き３８に除霜ヒーター６を挿入することにより、この冷却フィン３７のフィン下部に除霜ヒーター６が設置されることになる。圧縮機で圧縮された炭化水素系冷媒は凝縮器にて放熱した後、ドライヤにて冷媒等に含まれる水分が除去され、キャピラリチューブにて減圧され蒸発器３６に導入される。この時、冷媒はこの蒸発器３６で蒸発することにより冷蔵庫１内の熱を奪う。除霜ヒーター６は、蒸発器３６の冷却フィン３７のフィン下部に前記した方法により設けられている。また、すべての切り欠き３８は同じ形状である必要はなく、除霜ヒーター６が固定できるなら例えば右端と左端のみで除霜ヒーター６を固定しても良い。
【００６５】
除霜ヒーター６に通電が行われると、シース管またはガラス管７及び冷却フィン３７の温度が上昇し、伝導、輻射及び自然対流により、着霜した蒸発器３６が加熱され、蒸発器３６に付着した霜が溶かされる。特に除霜ヒーター６は冷却フィン３７のフィン下部に接触して設けられているため、除霜ヒーター６の放熱面積が拡大し、更に冷却フィン３７に除霜ヒーター６の熱が伝導により直接伝わることにより、従来に比べ除霜ヒーター６の表面温度を下げることができ、冷蔵庫本体の消費電力を低減することができる。
【００６６】
更に、冷却フィン３４には除霜ヒーター６取り付け用の切り欠き３８が２ケ所以上設けられているため、除霜ヒーター６は冷却フィン３７に設けられた取り付け孔を１つ１つ通すことなく蒸発器３６側面より冷却フィン３７に簡単に設置することができ、また冷却フィン３７に設けられた除霜ヒーター６設置用の切り欠き３８の任意部分の幅が他より所定の長さＭに比較し２ケ所以上でＭ’，Ｍ’’と短くなっているため、除霜ヒーター６設置時の除霜ヒーターの固定が２ケ所以上で安定し、除霜ヒーター６は所定の設置部よりずれにくくなる。例え、除霜ヒーター６が前記位置より外れても切り欠き３８の任意部分の幅が他より所定の長さ短くなっているため、除霜ヒーター６は蒸発器３６より外れることがない効果が得られる。
【００６７】
また、冷却フィン３７と除霜ヒーター６の固定を強化する方法として、耐熱性がある接着剤を用いて除霜ヒーター６と冷却フィン３７を固定しても良い。
【００６８】
（実施の形態１１）
図２６は本発明の実施の形態１１による冷蔵庫の蒸発器周辺の要部正面図である。図２７は同実施の形態の冷蔵庫の要部側面図である。図２８は同実施の形態の冷蔵庫の除霜ヒーターの断面図である。図２６から図２８において、３９は冷蔵庫１に設けられた蒸発器であり、冷却フィン４０の下部には除霜ヒーター４１の設置用の切り欠き４２を有している。また、４３は除霜ヒーター４１に設けられた保護具である。この切り欠き４２に除霜ヒーター４１を挿入することにより、この冷却フィン４０のフィン下部に除霜ヒーター４１が設置されることになる。圧縮機で圧縮された炭化水素系冷媒は凝縮器にて放熱した後、ドライヤにて冷媒等に含まれる水分が除去され、キャピラリチューブにて減圧され蒸発器３９に導入される。この時、冷媒はこの蒸発器３９で蒸発することにより冷蔵庫１内の熱を奪う。除霜ヒーター４１は、蒸発器３９の冷却フィン４０のフィン下部に前記した方法により設けられている。
【００６９】
除霜ヒーター４１に通電が行われると、シース管またはガラス管７及び冷却フィン４０の温度が上昇し、伝導、輻射及び自然対流により、着霜した蒸発器４０が加熱され、蒸発器４０に付着した霜が溶かされる。特に除霜ヒーター４１は冷却フィン４０のフィン下部に接触して設けられているため、除霜ヒーター４１の放熱面積が拡大し、更に冷却フィン４０に除霜ヒーター３８の熱が伝導により直接伝わることにより、従来に比べ除霜ヒーター４１の表面温度を下げることができ、冷蔵庫本体の消費電力を低減することができる。
【００７０】
更に、冷却フィン４０には除霜ヒーター４１取り付け用の切り欠き４２が２ケ所以上設けられているため、除霜ヒーター６は冷却フィン４０に設けられた取り付け孔を１つ１つ通すことなく蒸発器３９の側面より冷却フィン４０に簡単に設置することができる。また、除霜ヒーター４１の一部には保護具４３が設けられているため冷却フィン４０への設置時に冷却フィン４０により除霜ヒーター４１が傷つけられ破損する事を防止することができる効果が得られる。
【００７１】
また、冷却フィン４０と除霜ヒーター４１の固定を強化する方法として、耐熱性がある接着剤を用いて除霜ヒーター４１と冷却フィン４０を固定しても良い。
【００７２】
（実施の形態１２）
図２９は本発明の実施の形態１２による冷蔵庫の蒸発器周辺の要部正面図である。図３０は同実施の形態の冷蔵庫の要部側面図である。図３１は同実施の形態の冷蔵庫の除霜ヒーターの断面図である。図３２は同実施の形態の冷蔵庫の保護具の拡大図である。図３３は図３２のＡ−Ａ線断面図である。２９から図３３において、４４は冷蔵庫１に設けられた蒸発器であり、冷却フィン４５の下部には冷却フィン４５に設けられた除霜ヒーター４６の設置用の切り欠き４７を有している。また、４８は除霜ヒーター４６に設けられた保護具であり、冷却フィン４５に設けられた切り欠き４７に挿入するための溝４９を有している。この切り欠き４７に除霜ヒーター４６の保護具４８に設けられた溝４９を沿わして挿入することにより、この冷却フィン４５のフィン下部に除霜ヒーター４６が設置されることになる。圧縮機で圧縮された炭化水素系冷媒は凝縮器にて放熱した後、ドライヤにて冷媒等に含まれる水分が除去され、キャピラリチューブにて減圧され蒸発器４４に導入される。この時、冷媒はこの蒸発器４４で蒸発することにより冷蔵庫１内の熱を奪う。除霜ヒーター４６は、蒸発器４４の冷却フィン４５のフィン下部に前記した方法により設けられている。
【００７３】
除霜ヒーター４６に通電が行われると、シース管またはガラス管７及び冷却フィン４５の温度が上昇し、伝導、輻射及び自然対流により、着霜した蒸発器４４が加熱され、蒸発器４４に付着した霜が溶かされる。特に除霜ヒーター４６は冷却フィン４５のフィン下部に接触して設けられているため、除霜ヒーター４６の放熱面積が拡大し、更に冷却フィン４５に除霜ヒーター４６の熱が伝導により直接伝わることにより、従来に比べ除霜ヒーター４６の表面温度を下げることができ、冷蔵庫本体の消費電力を低減することができる。
【００７４】
更に、冷却フィン４５には除霜ヒーター４６取り付け用の切り欠き４７が設けられているため、除霜ヒーター４６は冷却フィン４５に設けられた取り付け孔を１つ１つ通すことなく蒸発器４４の側面より切り欠き４７に保護具４８の溝４９を沿わして挿入することにより蒸発器４４に除霜ヒーター４６を簡単に設置することができる。また、この時、除霜ヒーター４６には保護具４８が設けられているため冷却フィン４５への設置時に冷却フィン４５により除霜ヒーター４６が傷つけられ破損する事を防止することができると共に、溝４９により冷却フィン４５への除霜ヒーター４６の取り付け位置が決定され、溝４９に冷却フィン４５を沿わすことによりスムーズに設置できる効果が得られる。
【００７５】
また、冷却フィン４５と除霜ヒーター４６の固定を強化する方法として、耐熱性がある接着剤を用いて除霜ヒーター４６と冷却フィン４５を固定しても良い。
【００７６】
（実施の形態１３）
図３４は本発明の実施の形態１３による冷蔵庫の蒸発器周辺の要部正面図である。図３５は同実施の形態の冷蔵庫の要部側面図である。図３６は同実施の形態の冷蔵庫の除霜ヒーターの断面図である。図３７は同実施の形態の冷蔵庫の保護具の拡大図である。図３８は図３２のＢ−Ｂ線断面図である。図３４から図３８において、５０は冷蔵庫１に設けられた蒸発器であり、冷却フィン５１の下部には冷却フィン５１に設けられた除霜ヒーター５２の設置用の切り欠き５３を有している。また、５４は除霜ヒーター５２に設けられた保護具であり、冷却フィン５１に設けられた切り欠き５３に挿入するための溝５５とその溝５５のほぼ垂直方向の溝５６を有しており、溝５５は溝５６よりも深くなっている。切り欠き５３に除霜ヒーター５２の保護具５４に設けられた溝５５を沿わして挿入することにより、この冷却フィン５１のフィン下部に除霜ヒーター５２が設置されることになる。圧縮機で圧縮された炭化水素系冷媒は凝縮器にて放熱した後、ドライヤにて冷媒等に含まれる水分が除去され、キャピラリチューブにて減圧され蒸発器５０に導入される。この時、冷媒はこの蒸発器５０で蒸発することにより冷蔵庫１内の熱を奪う。除霜ヒーター５２は、蒸発器５０の冷却フィン５１のフィン下部に前記した方法により設けられている。
【００７７】
除霜ヒーター５２に通電が行われると、シース管またはガラス管７及び冷却フィン５１の温度が上昇し、伝導、輻射及び自然対流により、着霜した蒸発器５０が加熱され、蒸発器５０に付着した霜が溶かされる。特に除霜ヒーター５２は冷却フィン５１のフィン下部に接触して設けられているため、除霜ヒーター５２の放熱面積が拡大し、更に冷却フィン５１に除霜ヒーター５２の熱が伝導により直接伝わることにより、従来に比べ除霜ヒーター５２の表面温度を下げることができ、冷蔵庫本体の消費電力を低減することができる。
【００７８】
更に、冷却フィン５１には除霜ヒーター５２取り付け用の切り欠き５３が設けられているため、除霜ヒーター５２は冷却フィン５１に設けられた取り付け孔を１つ１つ通すことなく蒸発器５０の側面より切り欠き５３に保護具５４の溝５５を沿わして挿入し、更に除霜ヒーター５２は所定の設置部まで移動させたとき、この除霜ヒーター５２を約９０゜回転させることにより冷却フィン５１と接触している溝を溝５６に変えることにより除霜ヒーター５２と切り欠き５３との固定をより強固にすることができる効果が得られる。また、これにより、除霜ヒーター５２には保護具５４が設けられているため冷却フィン５１への設置時に冷却フィン５１により除霜ヒーター５２が傷つけられ破損する事を防止することができると共に、溝５５により冷却フィン５１への除霜ヒーター５２の取り付け位置が決定され、溝５５に冷却フィン５１を沿わすことによりスムーズに設置できる効果が得られる。
【００７９】
また、冷却フィン５１と除霜ヒーター５２の固定を強化する方法として、耐熱性がある接着剤を用いて除霜ヒーター５２と冷却フィン５１を固定しても良い。
【００８０】
（実施の形態１４）
図３９は本発明の実施の形態１４による冷蔵庫の蒸発器周辺の要部正面図である。図４０は同実施の形態の冷蔵庫の要部側面図である。図３９，図４０において、５７は冷蔵庫１に設けられた蒸発器であり、５８は蒸発器５７の冷却フィン５９の下部に設けられた除霜ヒーターである。６０は除霜ヒーター５８よりも上部に設けられた切り欠き６１に除霜ヒーター用保護カバーを設けたものである。つまり、切り欠き６１に除霜ヒーター用保護カバー６０を挿入することにより、冷却フィン５９に設けられた除霜ヒーター５８の上部に除霜ヒーター用保護カバー６０が設置されることになる。
【００８１】
圧縮機で圧縮された炭化水素系冷媒は凝縮器にて放熱した後、ドライヤにて冷媒等に含まれる水分が除去され、キャピラリチューブにて減圧され蒸発器５７に導入される。この時、冷媒はこの蒸発器５７で蒸発することにより冷蔵庫１内の熱を奪う。
【００８２】
除霜ヒーター５８に通電が行われると、シース管またはガラス管７及び冷却フィン５９の温度が上昇し、伝導、輻射及び自然対流により、着霜した蒸発器５７が加熱され、蒸発器５７に付着した霜が溶かされる。特に除霜ヒーター５８は冷却フィン５９のフィン下部に接触して設けられているため、除霜ヒーター５８の放熱面積が拡大し、更に冷却フィン５９に除霜ヒーター５８の熱が伝導により直接伝わることにより、従来に比べ除霜ヒーター５８の表面温度を下げることができ、冷蔵庫本体の消費電力を低減することができる。
【００８３】
更に、冷却フィン５９には除霜ヒーター用保護カバー６０取り付け用の切り欠き６１が設けられているため、蒸発器５７の側面より冷却フィン５９に除霜ヒーター用保護カバー６０を簡単に設置することができる効果が得られ、蒸発器５７の除霜時に溶けた霜より発生する水が除霜ヒーター５８にかかるのを除霜ヒーター用保護カバー６０が防ぐことができるため、除霜ヒーター５８の劣化を防止することが出きる効果が得られる。尚、冷却フィン５９と除霜ヒーター用保護カバー６０の固定を強化する方法として、耐熱性がある接着剤を用いて除霜ヒーター用保護カバー６０と冷却フィン５９を固定しても良い。
【００８４】
（実施の形態１５）
図４１は本発明の実施の形態１５による冷蔵庫の蒸発器周辺の要部正面図である。図４２は同実施の形態の冷蔵庫の要部側面図である。図４３は同実施の形態の冷蔵庫の冷却フィンへの除霜ヒーター取り付け部の要部拡大断面図である。図４１から図４３において、６２は冷蔵庫１に設けられた蒸発器であり、６３は蒸発器６２の冷却フィン６４の下部に設けられた除霜ヒーターである。６５は除霜ヒーター６３よりも上に設けられた冷却フィン６４の切り欠きであり、その切り欠き６５は隣接する冷却フィン間で所定の長さずれており、ここに除霜ヒーター用保護カバー６６を挿入し装着する様になっている。
【００８５】
圧縮機で圧縮された炭化水素系冷媒は凝縮器にて放熱した後、ドライヤにて冷媒等に含まれる水分が除去され、キャピラリチューブにて減圧され蒸発器６２に導入される。この時、冷媒はこの蒸発器６２で蒸発することにより冷蔵庫１内の熱を奪う。
【００８６】
除霜ヒーター６３に通電が行われると、シース管またはガラス管７及び冷却フィン６４の温度が上昇し、伝導、輻射及び自然対流により、着霜した蒸発器６２が加熱され、蒸発器６２に付着した霜が溶かされる。特に除霜ヒーター６３は冷却フィン６４のフィン下部に接触して設けられているため、除霜ヒーター６３の放熱面積が拡大し、更に冷却フィン６４に除霜ヒーター６３の熱が伝導により直接伝わることにより、従来に比べ除霜ヒーター６３の表面温度を下げることができ、冷蔵庫本体の消費電力を低減することができる。
【００８７】
更に、冷却フィン６４には除霜ヒーター用保護カバー６６取り付け用の切り欠き６５が設けられているため、蒸発器６２の側面より冷却フィン６４に除霜ヒーター用保護カバー６６を簡単に設置することができる効果が得られ、蒸発器６２の除霜時に溶けた霜より発生する水が除霜ヒーター６３にかかるのを除霜ヒーター用保護カバー６６が防ぐことができるため、除霜ヒーター６３の劣化を防止することが出きる効果が得られる。それに加え、除霜ヒーター用保護カバー６６を設置する切り欠き６５は隣接する冷却フィン間で所定の長さずれているため、除霜ヒーター用保護カバー６６を切り欠き６５に挿入し装着した時に除霜ヒーター用保護カバー６６は上と下からおさえられるための固定を強固にすることができる。
【００８８】
また、冷却フィン６４と除霜ヒーター用保護カバー６６の固定を強化する方法として、耐熱性がある接着剤を用いて除霜ヒーター用保護カバー６６と冷却フィン６４を固定しても良い。
【００８９】
（実施の形態１６）
図４４は本発明の実施の形態１６による冷蔵庫の蒸発器周辺の要部正面図である。図４５は同実施の形態の冷蔵庫の要部側面図である。図４６は同実施の形態の冷蔵庫の冷却フィンへの除霜ヒーター取り付け部の要部拡大側面図である。図４４から図４６において、６７は冷蔵庫１に設けられた蒸発器であり、６８は蒸発器６７の冷却フィン６９の下部に設けられた除霜ヒーターである。７０は除霜ヒーター６８よりも上に設けられた冷却フィン６９の切り欠きであり、その切り欠き６９は任意部分の幅が他のＮより所定の長さ短くＮ’となっているものであり、ここに除霜ヒーター用保護カバー７１を挿入し装着する様になっている。
【００９０】
圧縮機で圧縮された炭化水素系冷媒は凝縮器にて放熱した後、ドライヤにて冷媒等に含まれる水分が除去され、キャピラリチューブにて減圧され蒸発器６７に導入される。この時、冷媒はこの蒸発器６７で蒸発することにより冷蔵庫１内の熱を奪う。
【００９１】
除霜ヒーター６８に通電が行われると、シース管またはガラス管７及び冷却フィン６９の温度が上昇し、伝導、輻射及び自然対流により、着霜した蒸発器６７が加熱され、蒸発器６７に付着した霜が溶かされる。特に除霜ヒーター６８は冷却フィン６９のフィン下部に接触して設けられているため、除霜ヒーター６８の放熱面積が拡大し、更に冷却フィン６９に除霜ヒーター６８の熱が伝導により直接伝わることにより、従来に比べ除霜ヒーター６８の表面温度を下げることができ、冷蔵庫本体の消費電力を低減することができる。
【００９２】
更に、冷却フィン６９には除霜ヒーター用保護カバー７１取り付け用の切り欠き７０が設けられているため、蒸発器６７の側面より冷却フィン６９に除霜ヒーター用保護カバー７１を簡単に設置することができる効果が得られ、蒸発器６７の除霜時に溶けた霜より発生する水が除霜ヒーター６８にかかるのを除霜ヒーター用保護カバー７１が防ぐことができるため、除霜ヒーター６８の劣化を防止することが出きる効果が得られる。それに加え、除霜ヒーター用保護カバー７１を設置する切り欠き７０は任意部分の幅が他のＮより所定の長さ短くなりＮ’となっているため、除霜ヒーター用保護カバー７１を切り欠き７０に挿入し装着した時に除霜ヒーター用保護カバー７１は上と下からおさえられるための固定を強固にすることができる。
【００９３】
また、冷却フィン６９と除霜ヒーター用保護カバー７１の固定を強化する方法として、耐熱性がある接着剤を用いて除霜ヒーター用保護カバー７１と冷却フィン６９を固定しても良い。
【００９４】
（実施の形態１７）
図４７は本発明の実施の形態１７による冷蔵庫の蒸発器周辺の要部正面図である。図４８は同実施の形態の冷蔵庫の要部側面図である。図４９は同実施の形態の冷蔵庫の冷却フィンへの除霜ヒーター取り付け部の要部拡大側面図である。図４７から図４９において、７２は冷蔵庫１に設けられた蒸発器であり、７３は蒸発器７２の冷却フィン７４の下部に設けられた除霜ヒーターである。７５は除霜ヒーター７３よりも上に設けられた蒸発器用冷却フィン７１の切り欠きであり、その切り欠き７５は２ケ所以上の任意部分の幅が他のＰより所定の長さ短くＰ’，Ｐ’’となっているものであり、ここに除霜ヒーター用保護カバー７６を挿入し装着する様になっている。
【００９５】
圧縮機で圧縮された炭化水素系冷媒は凝縮器にて放熱した後、ドライヤにて冷媒等に含まれる水分が除去され、キャピラリチューブにて減圧され蒸発器７２に導入される。この時、冷媒はこの蒸発器７２で蒸発することにより冷蔵庫１内の熱を奪う。
【００９６】
除霜ヒーター７３に通電が行われると、シース管またはガラス管７及び冷却フィン７４温度が上昇し、伝導、輻射及び自然対流により、着霜した蒸発器７２が加熱され、蒸発器７２に付着した霜が溶かされる。特に除霜ヒーター７３は冷却フィン７４のフィン下部に接触して設けられているため、除霜ヒーター７３の放熱面積が拡大し、更に冷却フィン７４に除霜ヒーター７３の熱が伝導により直接伝わることにより、従来に比べ除霜ヒーター７３の表面温度を下げることができ、冷蔵庫本体の消費電力を低減することができる。
【００９７】
更に、冷却フィン７４には除霜ヒーター用保護カバー７６取り付け用の切り欠き７５が設けられているため、蒸発器７２の側面より冷却フィン７４に除霜ヒーター用保護カバー７６を簡単に設置することができる効果が得られ、蒸発器７２の除霜時に溶けた霜より発生する水が除霜ヒーター７３にかかるのを除霜ヒーター用保護カバー７６が防ぐことができるため、除霜ヒーター７３の劣化を防止することが出きる効果が得られる。それに加え、除霜ヒーター用保護カバー７６を設置する切り欠き７５は２ケ所以上の任意部分の幅が他のＰより所定の長さ短くＰ’，Ｐ’’となっているため、除霜ヒーター用保護カバー７６を切り欠き７５に挿入し装着した時に除霜ヒーター用保護カバー７６は２ケ所以上で上と下からおさえられるための固定を強固にすることができる。
【００９８】
また、冷却フィン７４と除霜ヒーター用保護カバー７６の固定を強化する方法として、耐熱性がある接着剤を用いて除霜ヒーター用保護カバー７６と冷却フィン７４を固定しても良い。
【図面の簡単な説明】
【００９９】
【図１】本発明の実施の形態１による冷蔵庫の要部正面図
【図２】同実施の形態の冷蔵庫の要部側面図
【図３】同実施の形態の冷蔵庫の除霜ヒーターの断面図
【図４】本発明の実施の形態２による冷蔵庫の要部正面図
【図５】同実施の形態の冷蔵庫の要部側面図
【図６】本発明の実施の形態３による冷蔵庫の要部正面図
【図７】同実施の形態の冷蔵庫の要部側面図
【図８】本発明の実施の形態４による冷蔵庫の要部正面図
【図９】同実施の形態の冷蔵庫の要部側面図
【図１０】本発明の実施の形態５による冷蔵庫の要部正面図
【図１１】同実施の形態の冷蔵庫の要部側面図
【図１２】同実施の形態の冷蔵庫の要部拡大断面図
【図１３】本発明の実施の形態６による冷蔵庫の要部正面図
【図１４】同実施の形態の冷蔵庫の要部側面図
【図１５】本発明の実施の形態７による冷蔵庫の要部正面図
【図１６】同実施の形態の冷蔵庫の要部側面図
【図１７】本発明の実施の形態８による冷蔵庫の要部正面図
【図１８】同実施の形態の冷蔵庫の要部側面図
【図１９】同実施の形態の冷蔵庫の要部拡大断面図
【図２０】本発明の実施の形態９による冷蔵庫の要部正面図
【図２１】同実施の形態の冷蔵庫の要部側面図
【図２２】同実施の形態の冷蔵庫の要部拡大側面図
【図２３】本発明の実施の形態１０による冷蔵庫の要部正面図
【図２４】同実施の形態の冷蔵庫の要部側面図
【図２５】同実施の形態の冷蔵庫の要部拡大側面図
【図２６】本発明の実施の形態１１による冷蔵庫の要部正面図
【図２７】同実施の形態の冷蔵庫の要部側面図
【図２８】同実施の形態の冷蔵庫の除霜ヒーターの断面図
【図２９】本発明の実施の形態１２による冷蔵庫の要部正面図
【図３０】同実施の形態の冷蔵庫の要部側面図
【図３１】同実施の形態の冷蔵庫の除霜ヒーターの断面図
【図３２】同実施の形態の冷蔵庫の除霜ヒーターの要部拡大断面図
【図３３】図３２のＡ−Ａ線断面図
【図３４】本発明の実施の形態１３による冷蔵庫の要部正面図
【図３５】同実施の形態の冷蔵庫の要部側面図
【図３６】同実施の形態の冷蔵庫の除霜ヒーターの断面図
【図３７】同実施の形態の冷蔵庫の除霜ヒーターの要部拡大断面図
【図３８】図３２のＢ−Ｂ線断面図
【図３９】本発明の実施の形態１４による冷蔵庫の要部正面図
【図４０】同実施の形態の冷蔵庫の要部側面図
【図４１】本発明の実施の形態１５による冷蔵庫の要部正面図
【図４２】同実施の形態の冷蔵庫の要部側面図
【図４３】同実施の形態の冷蔵庫の要部拡大断面図
【図４４】本発明の実施の形態１６による冷蔵庫の要部正面図
【図４５】同実施の形態の冷蔵庫の要部側面図
【図４６】同実施の形態の冷蔵庫の要部拡大側面図
【図４７】本発明の実施の形態１７による冷蔵庫の要部正面図
【図４８】同実施の形態の冷蔵庫の要部側面図
【図４９】同実施の形態の冷蔵庫の要部拡大側面図
【図５０】従来の冷蔵庫の断面斜視図
【図５１】従来の冷蔵庫の除霜ヒーターの断面図
【図５２】従来の冷蔵庫の要部正面図
【図５３】従来の冷蔵庫の要部側面図
【符号の説明】
【０１００】
２，１２，１６，１９，２１，２４，２７，３０，３３，３６，３９，４４，５０，５７，６２，６７，７２  蒸発器
３    冷媒管
４，１３，１７、２０，２２，２５，２８，３１，３４，３７，４０，４５，５１，５９，６４，６９，７４  冷却フィン
６，４１，４６，５２，５８，６３，６８，７３  除霜ヒーター
１８、２６，２９，３２，３５，３８，４２，４７，５３，６１，６５、７０，７５  切り欠き
２３  挿通孔
４３，４８，５４  保護具
４９，５５，５６  溝
６０，６６，７１，７６  除霜ヒーター用保護カバー
【図１】
2005214625.tif 000003
【図２】
2005214625.tif 000004
【図３】
2005214625.tif 000005
【図４】
2005214625.tif 000006
【図５】
2005214625.tif 000007
【図６】
2005214625.tif 000008
【図７】
2005214625.tif 000009
【図８】
2005214625.tif 000010
【図９】
2005214625.tif 000011
【図１０】
2005214625.tif 000012
【図１１】
2005214625.tif 000013
【図１２】
2005214625.tif 000014
【図１３】
2005214625.tif 000015
【図１４】
2005214625.tif 000016
【図１５】
2005214625.tif 000017
【図１６】
2005214625.tif 000018
【図１７】
2005214625.tif 000019
【図１８】
2005214625.tif 000020
【図１９】
2005214625.tif 000021
【図２０】
2005214625.tif 000022
【図２１】
2005214625.tif 000023
【図２２】
2005214625.tif 000024
【図２３】
2005214625.tif 000025
【図２４】
2005214625.tif 000026
【図２５】
2005214625.tif 000027
【図２６】
2005214625.tif 000028
【図２７】
2005214625.tif 000029
【図２８】
2005214625.tif 000030
【図２９】
2005214625.tif 000031
【図３０】
2005214625.tif 000032
【図３１】
2005214625.tif 000033
【図３２】
2005214625.tif 000034
【図３３】
2005214625.tif 000035
【図３４】
2005214625.tif 000036
【図３５】
2005214625.tif 000037
【図３６】
2005214625.tif 000038
【図３７】
2005214625.tif 000039
【図３８】
2005214625.tif 000040
【図３９】
2005214625.tif 000041
【図４０】
2005214625.tif 000042
【図４１】
2005214625.tif 000043
【図４２】
2005214625.tif 000044
【図４３】
2005214625.tif 000045
【図４４】
2005214625.tif 000046
【図４５】
2005214625.tif 000047
【図４６】
2005214625.tif 000048
【図４７】
2005214625.tif 000049
【図４８】
2005214625.tif 000050
【図４９】
2005214625.tif 000051
【図５０】
2005214625.tif 000052
【図５１】
2005214625.tif 000053
【図５２】
2005214625.tif 000054
【図５３】
2005214625.tif 000055